(57)【特許請求の範囲】
【請求項１】
光源と、
表面及び前記表面とは反対側の裏面並びに前記表面及び前記裏面を接続する端面を有し、前記光源に前記端面が対向するように配置され、前記端面から入射した光を内部で反射させて前記表面から面発光させる導光板と、
前記導光板の前記表面と対向するように配置され、前記導光板の前記表面から出射した前記光の通過及び遮断を制御して画像を表示する光シャッター方式の表示パネルと、
前記導光板の前記裏面と対向するように配置された反射シートと、
を有し、
前記表面には凹凸が形成され、
前記凹凸は、前記光の進行方向である第１方向に沿って第１稜線がそれぞれ続く複数の第１凸部と、前記第１方向に交差する第２方向に沿って第２稜線がそれぞれ続く複数の第２凸部と、を組み合わせた形状によって形成され、
前記第２凸部は、前記第２稜線から相互に反対方向に傾斜する一対の第２側面を有し、
前記光が入射する側に位置する一方の前記第２側面よりも、反対側の他方の前記第２側面が、緩やかな角度で傾斜していることを特徴とする表示装置。
【請求項２】
光源と、
表面及び前記表面とは反対側の裏面並びに前記表面及び前記裏面を接続する端面を有し、前記光源に前記端面が対向するように配置され、前記端面から入射した光を内部で反射させて前記表面から面発光させる導光板と、
前記導光板の前記表面と対向するように配置され、前記導光板の前記表面から出射した前記光の通過及び遮断を制御して画像を表示する光シャッター方式の表示パネルと、
前記導光板の前記裏面と対向するように配置された反射シートと、
を有し、
前記表面には凹凸が形成され、
前記凹凸は、前記光の進行方向である第１方向に沿って第１稜線がそれぞれ続く複数の第１凸部と、前記第１方向に交差する第２方向に沿って第２稜線がそれぞれ続く複数の第２凸部と、を組み合わせた形状によって形成され、
前記複数の第１凸部及び前記複数の第２凸部に囲まれた領域は平坦であることを特徴とする表示装置。
【請求項３】
請求項２に記載された表示装置において、
前記第２凸部は、前記第２稜線から相互に反対方向に傾斜する一対の第２側面を有し、
前記光が入射する側に位置する一方の前記第２側面よりも、反対側の他方の前記第２側面が、緩やかな角度で傾斜していることを特徴とする表示装置。
【請求項４】
請求項１から３のいずれか１項に記載された表示装置において、
前記反射シートは、ＥＳＲ反射シートであることを特徴とする表示装置。
【請求項５】
請求項４に記載された表示装置において、
前記導光板の前記裏面は、粗面になっていることを特徴とする表示装置。
【請求項６】
請求項１から５のいずれか１項に記載された表示装置において、
前記裏面には、前記第１方向に沿って第３稜線がそれぞれ続く複数の第３凸部が形成され、
それぞれの前記第３凸部は、前記第３稜線を挟む一対の第３側面を有することを特徴とする表示装置。
【請求項７】
請求項１から５のいずれか１項に記載された表示装置において、
前記裏面には、前記第１方向に沿ってそれぞれ延びる複数の第３凹部が形成されていることを特徴とする表示装置。
【請求項８】
請求項１から７のいずれか１項に記載された表示装置において、
前記導光板の光進行方向に垂直に設けられた凹または凸部で穏やかな角度で傾斜している部分の傾斜角が２°から５°の近傍であることを特徴とする表示装置。
【請求項９】
請求項１から８のいずれか１項に記載された表示装置において、
前記導光板の光進行方向に平行に設けられた凹または凸部の傾斜している部分の傾斜角が１５°から４０°の範囲であることを特徴とする表示装置。
【発明の詳細な説明】
【技術分野】
【０００１】
本発明は、表示装置に関する。
【背景技術】
【０００２】
サイドライト方式のバックライトを備える液晶表示装置では、導光板の端面に入射した光が、導光板の内部を進行し、裏面側の界面で反射して表面から出射するようになっている（特許文献１参照）。詳しくは、裏面側に、光の進行方向に対して直交する方向に稜線が延びるように山状の凸部又は谷状の凹部が形成されており、この凸部又は凹部で反射した光が表面から出射するようになっている。また、表面では界面で反射して内部に戻る光もあり、この光を収束させるために、表面側には光の進行方向に平行に稜線が延びるように山状の凸部又は谷状の凹部が形成されている。
【先行技術文献】
【特許文献】
【０００３】
【特許文献１】特開２００９−２７６５３１号公報
【発明の概要】
【発明が解決しようとする課題】
【０００４】
導光板の内部を進行する光には、裏面側の界面で反射する光のほかに、裏面を通過する光があり、通過した光を導光板に戻すために反射シートが配置されている。近年、反射率の高い反射シートが使用されることがあるが、導光板との密着性の高さから、導光板の裏面の界面で反射するはずの光が反射シートに吸収されてしまうという問題が生じている。
その対策として導光板の裏面をブラスト加工で荒らして密着性を下げることが考えられるが、そうすると、裏面の凸部又は凹部の形状が変わってしまうため、輝度分布が変わってしまう。
【０００５】
本発明は、反射シートとの密着による輝度分布の変化にかかわらず、光を収束させながら効率的に光を出射させる導光板を備えた表示装置を提供することを目的とする。
【課題を解決するための手段】
【０００６】
（１）本発明に係る表示装置は、光源と、表面及び前記表面とは反対側の裏面並びに前記表面及び前記裏面を接続する端面を有し、前記光源に前記端面が対向するように配置され、前記端面から入射した光を内部で反射させて前記表面から面発光させる導光板と、前記導光板の前記表面と対向するように配置され、前記導光板の前記表面から出射した前記光の通過及び遮断を制御して画像を表示する光シャッター方式の表示パネルと、前記導光板の前記裏面と対向するように配置された反射シートと、を有し、前記表面には凹凸が形成され、前記凹凸は、前記光の進行方向である第１方向に沿って第１稜線がそれぞれ続く複数の第１凸部と、前記第１方向に交差する第２方向に沿って第２稜線がそれぞれ続く複数の第２凸部と、を組み合わせた形状によって形成されていることを特徴とする。本発明によれば、光が出射する表面に凹凸が形成されるので、裏面と反射シートとの密着による輝度分布の変化にかかわらず、光を収束させながら効率的に光を出射させることができる。
【０００７】
（２）（１）に記載された表示装置において、前記第２凸部は、前記第２稜線から相互に反対方向に傾斜する一対の第２側面を有し、前記光が入射する側に位置する一方の前記第２側面よりも、反対側の他方の前記第２側面が、緩やかな角度で傾斜していることを特徴としてもよい。
【０００８】
（３）（１）又は（２）に記載された表示装置において、前記複数の第１凸部及び前記複数の第２凸部に囲まれた領域は平坦であることを特徴としてもよい。
【０００９】
（４）本発明に係る表示装置は、光源と、表面及び前記表面とは反対側の裏面並びに前記表面及び前記裏面を接続する端面を有し、前記光源に前記端面が対向するように配置され、前記端面から入射した光を内部で反射させて前記表面から面発光させる導光板と、前記導光板の前記表面と対向するように配置され、前記導光板の前記表面から出射した前記光の通過及び遮断を制御して画像を表示する光シャッター方式の表示パネルと、前記導光板の前記裏面と対向するように配置された反射シートと、を有し、前記表面には凹凸が形成され、前記凹凸は、前記光の進行方向である第１方向に沿って第１谷線がそれぞれ続く複数の第１凹部と、前記第１方向に交差する第２方向に沿って第２谷線がそれぞれ続く複数の第２凹部と、を組み合わせた形状によって形成されていることを特徴とする。本発明によれば、光が出射する表面に凹凸が形成されるので、裏面と反射シートとの密着による輝度分布の変化にかかわらず、光を収束させながら効率的に光を出射させることができる。
【００１０】
（５）（４）に記載された表示装置において、前記第２凹部は、前記第２谷線から相互に反対方向に傾斜する一対の第２側面を有し、前記光が入射する側に位置する一方の前記第２側面が、反対側の他方の前記第２側面よりも、緩やかな角度で傾斜していることを特徴としてもよい。
【００１１】
（６）（４）又は（５）に記載された表示装置において、前記複数の第１凹部及び前記複数の第２凹部に囲まれた領域は平坦であることを特徴としてもよい。
【００１２】
（７）（１）から（６）のいずれか１項に記載された表示装置において、前記反射シートは、ＥＳＲ反射シートであることを特徴としてもよい。
【００１３】
（８）（７）に記載された表示装置において、前記導光板の前記裏面は、粗面になっていることを特徴としてもよい。
【００１４】
（９）（１）から（８）のいずれか１項に記載された表示装置において、前記裏面には、前記第１方向に沿って第３稜線がそれぞれ続く複数の第３凸部が形成され、それぞれの前記第３凸部は、前記第３稜線を挟む一対の第３側面を有することを特徴としてもよい。
【００１５】
（１０）（１）から（８）のいずれか１項に記載された表示装置において、前記裏面には、前記第１方向に沿ってそれぞれ延びる複数の第３凹部が形成されていることを特徴としてもよい。
【図面の簡単な説明】
【００１６】
【図１】本発明の実施形態に係る表示装置を示す断面図である。
【図２】導光板の表面（表示パネル側の面）の一部を示す斜視図である。
【図３】図２に示す導光板のIII−III線断面図である。
【図４】図２に示す導光板のIV−IV線断面図である。
【図５】導光板の裏面（表示パネルとは反対側の面）を示す斜視図である。
【図６】図５に示す導光板の裏面のVI−VI線断面図である。
【図７】従来の導光板を使用した構成のバックライトと本発明に係る導光板を使用した構成のバックライトの輝度分布の光進行方向の極角（垂直方向からのずれ）に対する依存性を示す図である。
【図８】従来の導光板を使用した構成のバックライトと本発明に係る導光板を使用した構成のバックライトの輝度分布の光進行方向に垂直方向の極角（垂直方向からのずれ）に対する依存性を示す図である。
【図９】図３に示す導光板の表面の変形例を示す図である。
【図１０】図４に示す導光板の表面の変形例を示す図である。
【図１１】図６に示す導光板の裏面の変形例を示す図である。
【図１２】実施例の導光板の光進行方向に垂直な凹凸部の傾斜角θ１と輝度との関係を示す図である。
【図１３】実施例の導光板の光進行方向に垂直な凹凸部の傾斜角θ１を示す図である。
【図１４】実施例の導光板の光進行方向に平行な凹凸部の傾斜角θ２と輝度との関係を示す図である。
【図１５】実施例の導光板の光進行方向に平行な凹凸部の傾斜角θ２を示す図である。
【発明を実施するための形態】
【００１７】
以下、本発明の実施形態について、図面を参照して説明する。図１は、本発明の実施形態に係る表示装置を示す断面図である。
【００１８】
表示装置は、表示パネル１０を有する。表示パネル１０は、光の通過及び遮断を制御して画像を表示する光シャッター方式のものである。図１に示す表示パネル１０は、液晶表示パネルであって、ガラス等からなる一対の基板１２，１４とその間に挟まれた液晶層１６を含み、一対の基板１２，１４の外側にそれぞれ偏光板１８，２０を有する。
【００１９】
表示装置は、光源２２を有する。光源２２は、ＬＥＤ（Light Emitting Diode）などの点光源又は線光源である。
【００２０】
表示装置は、導光板２４を有する。導光板２４は、表面２６及びその反対側の裏面２８を有し、さらに表面２６及び裏面２８を接続する端面３０を有している。導光板２４は、光源２２に端面３０が対向するように配置されている。光源２２から出射された光は、端面３０から導光板２４に入射し、導光板２４の内部でも、光源２２から端面３０に向かう方向（以下、「光の進行方向」という。）に進む。導光板２４は、端面３０から入射した光を内部で反射させて表面２６から面発光させる。導光板２４によって、点光源又は線光源が面光源に変換される。導光板２４は、その表面２６が表示パネル１０と対向するように配置されている。したがって、導光板２４の表面２６から出射した光が表示パネル１０に進行する。
【００２１】
導光板２４の上（表示パネル１０に近い側）に、光拡散シート３２が配置されている。光拡散シート３２は弱い光拡散作用を持つので、これを光が透過することで光分布への影響が弱められる。光拡散シート３２の上（表示パネル１０に近い側）には、２枚のプリズムシート３４，３６が配置されている。プリズムシート３４，３６を光が透過することで、光を正面に集光させ、正面輝度を向上させることができる。さらに、プリズムシート３４，３６の上（表示パネル１０に近い側）には、偏光を変換するフィルム３８が配置されており、偏光板１８の光透過軸方向に振動する偏光を有する光の成分を増加させている。
【００２２】
図２は、導光板２４の表面２６（表示パネル１０側の面）の一部を示す斜視図である。図３は、図２に示す導光板２４のIII−III線断面図である。図４は、図２に示す導光板２４のIV−IV線断面図である。
【００２３】
導光板２４の表面２６には凹凸が形成されている。凹凸は、複数の第１凸部４０（縦突出部）と複数の第２凸部４２（横突出部）を組み合わせた形状によって形成されている。複数の第１凸部４０及び複数の第２凸部４２に囲まれた領域は平坦である。
【００２４】
第１凸部４０は、光の進行方向である第１方向Ｄ１に沿って第１稜線４４が続く。第１凸部４０は、第１稜線４４から相互に反対方向に傾斜する一対の第１側面４６を有する。第１側面４６は平坦面であってもよいし、凸曲面又は凹曲面であってもよい。第１凸部４０を形成することで光の発散を抑制することができる。隣同士の第１凸部４０の第１稜線４４同士のピッチは、表示パネル１０の画素ピッチの１／３である。図では第１凸部４０は、第２凸部４２よりも高くなって、第１稜線４４が途切れないように形成されているが、全面において必ずしもこの限りではない。
【００２５】
第２凸部４２は、第１方向Ｄ１（光の進行方向）に交差する第２方向Ｄ２に沿って第２稜線４８が続く。隣同士の第２凸部４２の第２稜線４８同士のピッチは、表示パネル１０の画素ピッチに等しくなるように設計されている。また、第２凸部４２の高さは導光板２４からの出光分布が均一になるように調整されている。このため、あまりにも細かい画素ピッチの場合には、第２凸部４２の高さが場所によっては非常に小さくなり、金型加工が難しくなる場合があるので、この場合には隣同士の第２凸部４２の第２稜線４８同士のピッチは、画素ピッチの２倍程度とすることもある。なお、この出光分布の調整によって、図とは異なって第１凸部４０が第２凸部４２よりも低くなって、第１稜線４４が途切れる場所も発生する。
【００２６】
図では第２凸部４２は、第１凸部４０の頂部によって第２稜線４８が途切れるように、隣同士の第１凸部４０の間に表れるが、出光分布の調整によって、途切れなく形成される場所もある。第２凸部４２は、第２稜線４８から相互に反対方向に傾斜する一対の第２側面５０を有している。第２側面５０は平坦面であってもよいし、凸曲面又は凹曲面であってもよい。光が入射する側（図１参照）に位置する一方の第２側面５０ａよりも、反対側の他方の第２側面５０ｂが、緩やかな角度で傾斜している。これにより、光の入射側の第２側面５０ａよりも、緩やかな角度の第２側面５０ｂの方が大きく（広く）なっている。
【００２７】
第２凸部４２は、光の進行方向と交差（例えば直交）する方向に第２稜線４８が延びる凸形状であるため、導光板２４の内部を進行する光は、一方の第２側面５０ａでは全反射しやすく、他方の第２側面５０ｂでは通過しやすくなっている。詳しくは、第２稜線４８を挟んで光源２２に近い側に位置する一方の第２側面５０ａは、入射する光とのなす角度が浅く（小さく）なるため、光が全反射しやすい。これに対して、第２稜線４８を挟んで光源２２から遠い側に位置する他方の第２側面５０ｂは、入射する光とのなす角度が深く（大きく）なるため、光が通過しやすい。そのため、光が通過しやすい方の第２側面５０ｂを大きくして、導光板２４から出射する光を増加させている。
【００２８】
図５は、導光板２４の裏面２８（表示パネル１０とは反対側の面）を示す斜視図である。図６は、図５に示す導光板２４の裏面２８のVI−VI線断面図である。裏面２８には、第１方向Ｄ１（光の進行方向）に沿って第３稜線５２がそれぞれ続く複数の第３凸部５４が形成されている。それぞれの第３凸部５４は、第３稜線５２を挟む一対の第３側面５６を有する。
【００２９】
表示装置は、導光板２４の裏面２８と対向するように配置された反射シート５８を有する。図１に示す反射シート５８は、ＥＳＲ（Enhanced Specular Reflector）反射シートである。ＥＳＲ反射シートはポリエステル系樹脂を用いた多層膜構造を有し、可視光範囲で９８％程度の高い反射率を有するシートである。ＥＳＲ反射シートは輝度の向上に寄与する。ただし、ＥＳＲ反射シートは、表面２６が滑らかな鏡面になっており、導光板２４の裏面２８との密着性が高くて付着しやすい。
【００３０】
本実施形態によれば、光が出射する表面２６に凹凸が形成されるので、裏面２８と反射シート５８との密着による輝度分布の変化にかかわらず、光を収束させながら効率的に光を出射させることができる。
【００３１】
本実施形態では、導光板２４の裏面２８は粗面になっている。導光板２４を射出成型するときに使用する金型に、数μｍの粒径の鉄球を吹き付けるブラスト加工を施すことで、導光板２４の裏面２８に数多くの小さな粒状突起を設けることができる。導光板２４の裏面２８を粗面にすることで、裏面２８と反射シート５８の密着性を下げることができる。その場合、裏面２８が粗面になっているため、導光板２４の内部を進行して裏面２８の界面で反射して戻る光による輝度分布が変化する。しかし、本実施形態によれば、光が出射する側の第１凸部４０によって光の発散を抑制するので、輝度分布の調整を行う必要がない。
【００３２】
上述した導光板２４、光源２２及び反射シート５８などからバックライトが構成される。バックライト及び表示パネル１０は、フレーム６０に収容されている。
【００３３】
図７及び図８は、従来の導光板を使用した構成のバックライトと本発明に係る導光板２４を使用した構成のバックライトの輝度分布の極角（垂直方向からのずれ）に対する依存性を示す図である。図７には、光進行方向の極角に対する輝度の測定結果を示し、図８には、光進行方向に垂直方向の極角に対する輝度の測定結果を示してある。バックライトは、下側の偏光板を有し、一方向に偏光された光をリサイクルするフィルム（ＰＣＦ）が有り、無しの両方で比較している。
【００３４】
測定結果から、本発明の導光板２４の採用によって、極角０°での輝度は従来の導光板を用いた場合に較べて、ＰＣＦの有り無しのどちらの場合も１５％程度向上しており、十分な輝度向上が得られていることが分かった。
【００３５】
図９及び図１０は、導光板の変形例を説明する断面図である。変形例に係る導光板１２４は、図２に示す凹凸を逆にした形状の表面１２６を有する。図９には、図３に示す断面の変形例が示してあり、図４に示す断面の変形例が示してある。
【００３６】
図９及び図１０に示すように、導光板１２４の凹凸は、複数の第１凹部（あるいは第１Ｖ溝）６２と複数の第２凹部（あるいは第２Ｖ溝）６４を組み合わせた形状によって形成されている。複数の第１凹部６２は、光の進行方向である第１方向Ｄ１に沿って第１谷線６６がそれぞれ続く。複数の第２凹部６４は、第１方向Ｄ１に交差する第２方向Ｄ２に沿って第２谷線６８がそれぞれ続く。
【００３７】
図２に示す形状を、図９及び図１０に示す断面を有するように変形したものが変形例に係る導光板１２４である。この図では第１凹部６２は、第２凹部６４よりも深くなって、第１谷線６６が途切れないように形成されているが、出光分布の調整によっては途切れる場所もある。第２凹部６４は、第１凹部６２の底部によって第２谷線６８が途切れるように、隣同士の第１凹部６２の間に表れる。複数の第１凹部６２及び複数の第２凹部６４に囲まれた領域は平坦である。第１凹部６２は、第１谷線６６から相互に反対方向に傾斜する一対の第１側面１４６を有する。第２凹部６４は、第２谷線６８から相互に反対方向に傾斜する一対の第２側面１５０を有する。
【００３８】
図４では、第２凸部４２が凸であることから、傾斜が緩くて広い第２側面５０ｂは、第２稜線４８から光の進行方向（光源２２から離れる方向）に延びる。これに対して、図１０では、第２凹部６４が凹であることから、傾斜が緩くて広い第２側面１５０ｂは、第２谷線６８から光の進行方向とは反対方向（光源２２に近づく方向）に延びる。つまり、光が入射する側に位置する一方の第２側面１５０ｂが、反対側の他方の第２側面１５０ａよりも、緩やかな角度で傾斜しており大きくなっている。
【００３９】
図４及び図１０を比較して分かるように、第２凸部４２及び第２凹部６４のいずれを形成した場合であっても、緩やかな角度で傾斜する第２側面５０ｂ，１５０ｂは、その法線が光の進行方向に近づくように傾斜している。
【００４０】
さらに変形例として、図６に示す導光板２４の裏面２８を、図１１に示すように変形してもよい。つまり、変形例では、裏面２２８には、第１方向Ｄ１（光の進行方向）に沿ってそれぞれ延びる複数の第３凹部７０が形成されている。あるいは、図示しない変形例として、導光板２４の裏面は平坦にしてもよい。
【００４１】
本発明は、上述した実施形態に限定されるものではなく種々の変形が可能である。例えば、実施形態で説明した構成は、実質的に同一の構成、同一の作用効果を奏する構成又は同一の目的を達成することができる構成で置き換えることができる。
【実施例】
【００４２】
次に、導光板の光進行方向に垂直に設けられた凹または凸部（図２では第２凸部４２）で穏やかな角度で傾斜している第２側面５０ｂの傾斜角について、輝度の角度依存性に関する実験結果を図１２に示す。
【００４３】
図１３（ａ）には、第２側面５０ａ，５０ｂによって凸が形成されている例を示し、図１３（ｂ）には、第２側面５０ａ，５０ｂによって凹が形成されている例を示している。なお、図１３に示すように第２側面５０ｂの傾斜角θ１は、図２に示す、複数の第１凸部４０及び複数の第２凸部４２に囲まれた平坦な領域７５に対する第２側面５０ｂの傾斜角度となる。
【００４４】
従来のバックライトでは図２の導光板の表面に光進行方向に沿った第１凸部４０が無い導光板が用いられており、この時の第２凸部４２の第２側面５０ｂの傾斜角θ１は１０°であった。従って、図１２には、第１凸部４０のある実施例について、傾斜角θ１が１０°であるときを基準として、傾斜角θ１に対する輝度の依存性を示す。詳しくは、図１２の横軸は、光進行方向に垂直の第２凸部４２（横溝）の第２側面５０ｂの傾斜角θ１であり、縦軸は、基準に対する相対輝度（％）である。なお、光進行方向に平行の第１凸部４０（縦溝）の傾斜角θ２,θ２‘（図１５参照）は３０°である。
【００４５】
図１２において破線Ａで囲んだ部分に示すように、傾斜角θ１が２°から５°の近傍で輝度が最大で、かつ、安定的にフラットになり、θ１を１０°とした場合に対して約４％の輝度向上が認められる。従って、本実施例の特徴である高輝度化を活かすための好ましい傾斜角θ１は約２°から５°の範囲となる。
【００４６】
次に、導光板の光進行方向に平行に設けられた凹または凸部（図２では第１凸部４０）の第１側面４６の傾斜角について、輝度の角度依存性に関する実験結果を図１４に示す。
【００４７】
図１５（ａ）には、第１側面４６ａ，４６ｂによって凸が形成されている例を示し、図１５（ｂ）には、第１側面４６ａ，４６ｂによって凹が形成されている例を示している。なお、図１５に示すように第１側面４６ａ，４６ｂの傾斜角θ２,θ２‘は図２に示す、複数の第１凸部４０及び複数の第２凸部４２に囲まれた平坦な領域７５に対する第１側面４６ａ，４６ｂの傾斜角度となる。
【００４８】
従来のバックライトでは図２の導光板の表面に光進行方向に沿った第１凸部４０が無い導光板が用いられており、この時の第２凸部４２の第２側面５０ｂの傾斜角θ１は１０°であった。従って、図１４には、第１凸部４０のある実施例について、第２側面５０ｂの傾斜角θ１が１０°で第１凸部４０がない導光板を基準とし、第２側面５０ｂの傾斜角θ１を５°に固定して、第１側面４６ａ，４６ｂの傾斜角θ２，θ２‘（θ２＝θ２‘）に対する輝度の依存性を示す。詳しくは、図１４の横軸は、光進行方向に平行の第１凸部４０（縦溝）の第１側面４６ａ，４６ｂの傾斜角θ２（θ２＝θ２‘）であり、縦軸は、基準に対する相対輝度（％）である。
【００４９】
図１４において、傾斜角θ２が４０°以上では輝度は殆ど変化なく、破線Ｂで囲んだ部分に示すように４０°以下では輝度が基準より高く、１５°以下になれば、輝度向上の効果は同等以下となる。従って、本実施例の特徴である高輝度化を活かすための第１側面４６の好ましい傾斜角θ２は１５°から４０°の範囲となる。なお、図１５に示したようにこの第１側面４６ａ，４６ｂの形状は非対称でも良く、必ずしもθ２＝θ２‘の条件は輝度向上には重要ではなく、傾斜角θ２とθ２‘の範囲はそれぞれ独立に１５°から４０°の範囲となる。
【符号の説明】
【００５０】
１０  表示パネル、１２  基板、１４  基板、１６  液晶層、１８  偏光板、２０  偏光板、２２  光源、２４  導光板、２６  表面、２８  裏面、３０  端面、３２  光拡散シート、３４  プリズムシート、３６  プリズムシート、３８  フィルム、４０  第１凸部、４２  第２凸部、４４  第１稜線、４６  第１側面、４８  第２稜線、５０  第２側面、５２  第３稜線、５４  第３凸部、５６  第３側面、５８  反射シート、６０  フレーム、６２  第１凹部、６４  第２凹部、６６  第１谷線、６８  第２谷線、７０  第３凹部、１２４  導光板、１２６  表面、５０  第２側面、２２８  裏面。
【図１】
0005410474.tif 000002
【図２】
0005410474.tif 000003
【図３】
0005410474.tif 000004
【図４】
0005410474.tif 000005
【図５】
0005410474.tif 000006
【図６】
0005410474.tif 000007
【図７】
0005410474.tif 000008
【図８】
0005410474.tif 000009
【図９】
0005410474.tif 000010
【図１０】
0005410474.tif 000011
【図１１】
0005410474.tif 000012
【図１２】
0005410474.tif 000013
【図１３】
0005410474.tif 000014
【図１４】
0005410474.tif 000015
【図１５】
0005410474.tif 000016